(57)【要約】【課題】  複数のＲＦＩＤから任意に選択したＩＤを出力することを可能とした構成を提供する。【解決手段】  記憶部に複数のＲＦＩＤ情報を格納し、表示部にＲＦＩＤの情報からなるＲＦＩＤリストを表示し、ユーザが入力した出力ＩＤ選択情報に基づいて、出力ＩＤを決定し、決定したＩＤを記憶部から抽出して出力ＩＤ格納メモリに格納してＲＦＩＤ出力部から出力する。複数の出力ＩＤ格納メモリに異なるＩＤを格納することで、連続的に異なるＲＦＩＤの出力を行なうことが可能となる。さらに、出力ＩＤ格納先のメモリ状況を示す情報表示を行なう構成とした。【選択図】  図１２
2005322133.tif 000002
【特許請求の範囲】
【請求項１】
ＲＦＩＤ出力処理を実行する情報処理装置であり、
外部出力用のＲＦＩＤを格納する出力ＩＤ格納メモリと、
前記出力ＩＤ格納メモリに格納されたＲＦＩＤの出力を実行するＲＦＩＤ出力部と、
１以上のＲＦＩＤを格納する記憶部と、
前記記憶部に格納されたＲＦＩＤの情報からなるＲＦＩＤリストを表示する表示部と、
前記表示部に表示されたＲＦＩＤリストに基づく出力ＩＤ選択情報を入力する入力部と、
前記入力部から入力する出力ＩＤ選択情報に基づいて選択されたＩＤを前記記憶部から抽出して、前記出力ＩＤ格納メモリに格納する処理を実行する制御部とを有し、
前記ＲＦＩＤ出力部は、前記ＩＤ格納メモリに格納された選択ＩＤの出力処理を実行する構成を有することを特徴とする情報処理装置。
【請求項２】
前記情報処理装置は、
複数の出力ＩＤ格納メモリを有し、
前記表示部は、出力ＩＤの格納先として選択可能な出力ＩＤ格納先リストを表示し、
前記制御部は、
前記出力ＩＤ格納先リストに基づいて、前記入力部から入力される出力ＩＤ格納先指示情報に従って前記選択ＩＤの格納先を決定し、決定した格納先に選択ＩＤを格納する処理を実行する構成であることを特徴とする請求項１に記載の情報処理装置。
【請求項３】
前記表示部は、
前記記憶部に格納されたＲＦＩＤの情報からなるＲＦＩＤリストの表示において、各ＩＤに対応づけてユーザの設定した名前を表示する構成であることを特徴とする請求項１に記載の情報処理装置。
【請求項４】
前記情報処理装置は、
複数の出力ＩＤ格納メモリを有し、
前記表示部は、出力ＩＤの格納先として選択可能な出力ＩＤ格納先のメモリ状況を示す情報表示を行なう構成であることを特徴とする請求項１に記載の情報処理装置。
【請求項５】
前記メモリ状況を示す情報は、
メモリに書き込み済みのＩＤがあるか否かの情報を含むことを特徴とする請求項４に記載の情報処理装置。
【請求項６】
前記情報処理装置は、
複数の出力ＩＤ格納メモリを有し、１つの出力ＩＤ格納メモリに格納されたＲＦＩＤ出力の実行後、前記入力部からの入力情報に基づいて、継続して他の出力ＩＤ格納メモリに格納されたＲＦＩＤ出力処理を実行する構成であることを特徴とする請求項１に記載の情報処理装置。
【請求項７】
ＲＦＩＤ出力処理を実行する情報処理方法であり、
記憶部に格納されたＲＦＩＤの情報からなるＲＦＩＤリストを表示する表示ステップと、
前記ＲＦＩＤリストに基づく出力ＩＤ選択情報を入力部を介して入力する選択情報受領ステップと、
前記出力ＩＤ選択情報に基づいて選択されたＩＤを前記記憶部から抽出して、外部出力用のＲＦＩＤを格納する出力ＩＤ格納メモリに格納する処理を実行するＩＤ格納ステップと、
ＲＦＩＤ出力部において、前記ＩＤ格納メモリに格納された選択ＩＤの出力処理を実行するＲＦＩＤ出力ステップと、
を有することを特徴とする情報処理方法。
【請求項８】
前記情報処理方法において、
前記表示ステップは、出力ＩＤの格納先として選択可能な複数の出力ＩＤ格納先を示す出力ＩＤ格納先リストを表示し、
前記ＩＤ格納ステップは、
前記出力ＩＤ格納先リストに基づいて、入力部を介して入力する出力ＩＤ格納先指示情報に従って前記選択ＩＤの格納先を決定し、決定した格納先に選択ＩＤを格納する処理を実行することを特徴とする請求項７に記載の情報処理方法。
【請求項９】
前記表示ステップは、
前記記憶部に格納されたＲＦＩＤの情報からなるＲＦＩＤリストの表示において、各ＩＤに対応づけてユーザの設定した名前を表示することを特徴とする請求項７に記載の情報処理方法。
【請求項１０】
前記表示ステップは、
出力ＩＤの格納先として選択可能な出力ＩＤ格納先のメモリ状況を示す情報表示を行なうことを特徴とする請求項７に記載の情報処理方法。
【請求項１１】
前記メモリ状況を示す情報は、
メモリに書き込み済みのＩＤがあるか否かの情報を含むことを特徴とする請求項１０に記載の情報処理方法。
【請求項１２】
前記情報処理方法は、さらに、
１つの出力ＩＤ格納メモリに格納されたＲＦＩＤ出力の実行後、前記入力部からの入力情報に基づいて、継続して他の出力ＩＤ格納メモリに格納されたＲＦＩＤ出力処理を実行するステップを含むことを特徴とする請求項７に記載の情報処理方法。
【請求項１３】
ＲＦＩＤ出力処理を実行するコンピュータ・プログラムであり、
記憶部に格納されたＲＦＩＤの情報からなるＲＦＩＤリストを表示する表示ステップと、
前記ＲＦＩＤリストに基づく出力ＩＤ選択情報を入力部を介して入力する選択情報受領ステップと、
前記出力ＩＤ選択情報に基づいて選択されたＩＤを前記記憶部から抽出して、外部出力用のＲＦＩＤを格納する出力ＩＤ格納メモリに格納する処理を実行するＩＤ格納ステップと、
ＲＦＩＤ出力部において、前記ＩＤ格納メモリに格納された選択ＩＤの出力処理を実行するＲＦＩＤ出力ステップと、
を有することを特徴とするコンピュータ・プログラム。
【発明の詳細な説明】
【技術分野】
【０００１】
本発明は、情報処理装置、および情報処理方法、並びにコンピュータ・プログラムに関する。さらに、詳細には、記憶手段にＲＦＩＤ(Radio Frequency Identification)を複数、格納し、ＲＦＩＤ出力部から外部に出力するＩＤを記憶部から選択してＲＦＩＤメモリに格納し、ＲＦＩＤ出力部を介したＲＦＩＤの選択的な出力を可能とした情報処理装置、および情報処理方法、並びにコンピュータ・プログラムに関する。
【背景技術】
【０００２】
ＲＦＩＤ(Radio Frequency Identification)は、近年、物流過程などで荷物の識別などに利用されている。ＲＦＩＤは、タグとリーダとから構成されるシステムで、タグに格納された情報をリーダで非接触に読み取るシステムである。タグとリーダ間の通信方法には、電磁結合方式、電磁誘導方式、電波通信方式などが挙げられる。
【０００３】
ＲＦＩＤタグは、固有の識別情報（ＩＤ）を含んだデバイスであり、例えば特定周波数の電波を受信したことに応答して識別情報に相当する変調周波数の電波を発振する動作特性を持ち、読み取り装置（リーダ）側でＲＦＩＤタグの発振周波数を基にそれが何であるかを特定することができる。したがって、ＲＦＩＤを用いたシステムでは、ＲＦＩＤタグに書き込まれている固有のＩＤを利用して、物品の判別や所有者の判別などを行なうことができる。現在、ＲＦＩＤシステムは、入退室を管理するシステムや、物流における物品識別システム、食堂などでの料金清算のシステム、ＣＤやソフトウェアなどの販売店での無断持ち出し防止システムなど、多数のシステムで利用されている。
【０００４】
ＲＦＩＤシステムの具体的構成としては、例えば、送受信及びメモリ機能を備えたＩＣチップと、該チップの駆動源と、アンテナとをパッケージ化した小型無線識別装置が利用される。この無線識別装置により、物品などに関するさまざまのデータをアンテナ経由でＩＣチップの受信手段に送信し、その出力をメモリに蓄積しておくとともに、必要に応じてメモリ内のデータを読み出して、アンテナを介して無線で外部に供給する。このようなＲＦＩＤシステムにより物品などの存在や位置を迅速且つ容易に確認したり追跡したりすることが可能となる。
【０００５】
ＲＦＩＤシステムを開示した従来技術としては、例えば、以下に示す文献がある。特許文献１は、展示会などでパンフレットの選択的配布をＲＦＩＤを適用して実現したパンフレット配布システムを開示している。また、特許文献２は、ＲＦＩＤを用いた代表的な例である物流管理システムでの利用方法や、ＲＦＩＤを用いた交通手段の運行手段管理システム、さらに目的地への道案内情報の提供システムなどのＲＦＩＤ利用例を開示している。
【０００６】
しかし、これまでに開示されているＲＦＩＤの利用構成においては、ＲＦＩＤ出力部に設定されるＩＤ、すなわち外部出力するＩＤは、ユーザによる自由な書き換えや選択を可能とするものではなく、予め決められたＩＤが特定のリーダに対して出力される構成としたものであった。
【特許文献１】特開２００３−３０８３７９号公報
【特許文献２】特開２００３−２３６６６号公報
【発明の開示】
【発明が解決しようとする課題】
【０００７】
本発明は、このような状況に鑑みてなされたものであり、ユーザの利用する例えば携帯情報端末のような情報処理装置の記憶部に複数のＲＦＩＤを記憶して、さらに、外部出力するＩＤを格納するＲＦＩＤ出力部のメモリに、記憶部に格納された複数のＲＦＩＤから任意にユーザが選択したＩＤを書き込むことを可能として、ユーザの意思によって選択した任意のＩＤを外部出力することを可能とした情報処理装置、および情報処理方法、並びにコンピュータ・プログラムを提供することを目的とするものである。
【課題を解決するための手段】
【０００８】
本発明の第１の側面は、
ＲＦＩＤ出力処理を実行する情報処理装置であり、
外部出力用のＲＦＩＤを格納する出力ＩＤ格納メモリと、
前記出力ＩＤ格納メモリに格納されたＲＦＩＤの出力を実行するＲＦＩＤ出力部と、
１以上のＲＦＩＤを格納する記憶部と、
前記記憶部に格納されたＲＦＩＤの情報からなるＲＦＩＤリストを表示する表示部と、
前記表示部に表示されたＲＦＩＤリストに基づく出力ＩＤ選択情報を入力する入力部と、
前記入力部から入力する出力ＩＤ選択情報に基づいて選択されたＩＤを前記記憶部から抽出して、前記出力ＩＤ格納メモリに格納する処理を実行する制御部とを有し、
前記ＲＦＩＤ出力部は、前記ＩＤ格納メモリに格納された選択ＩＤの出力処理を実行する構成を有することを特徴とする情報処理装置にある。
【０００９】
さらに、本発明の情報処理装置の一実施態様において、前記情報処理装置は、複数の出力ＩＤ格納メモリを有し、前記表示部は、出力ＩＤの格納先として選択可能な出力ＩＤ格納先リストを表示し、前記制御部は、前記出力ＩＤ格納先リストに基づいて、前記入力部から入力される出力ＩＤ格納先指示情報に従って前記選択ＩＤの格納先を決定し、決定した格納先に選択ＩＤを格納する処理を実行する構成であることを特徴とする。
【００１０】
さらに、本発明の情報処理装置の一実施態様において、前記表示部は、前記記憶部に格納されたＲＦＩＤの情報からなるＲＦＩＤリストの表示において、各ＩＤに対応づけてユーザの設定した名前を表示する構成であることを特徴とする。
【００１１】
さらに、本発明の情報処理装置の一実施態様において、前記情報処理装置は、複数の出力ＩＤ格納メモリを有し、前記表示部は、出力ＩＤの格納先として選択可能な出力ＩＤ格納先のメモリ状況を示す情報表示を行なう構成であることを特徴とする。
【００１２】
さらに、本発明の情報処理装置の一実施態様において、前記メモリ状況を示す情報は、メモリに書き込み済みのＩＤがあるか否かの情報を含むことを特徴とする。
【００１３】
さらに、本発明の情報処理装置の一実施態様において、前記情報処理装置は、複数の出力ＩＤ格納メモリを有し、１つの出力ＩＤ格納メモリに格納されたＲＦＩＤ出力の実行後、前記入力部からの入力情報に基づいて、継続して他の出力ＩＤ格納メモリに格納されたＲＦＩＤ出力処理を実行する構成であることを特徴とする。
【００１４】
さらに、本発明の第２の側面は、
ＲＦＩＤ出力処理を実行する情報処理方法であり、
記憶部に格納されたＲＦＩＤの情報からなるＲＦＩＤリストを表示する表示ステップと、
前記ＲＦＩＤリストに基づく出力ＩＤ選択情報を入力部を介して入力する選択情報受領ステップと、
前記出力ＩＤ選択情報に基づいて選択されたＩＤを前記記憶部から抽出して、外部出力用のＲＦＩＤを格納する出力ＩＤ格納メモリに格納する処理を実行するＩＤ格納ステップと、
ＲＦＩＤ出力部において、前記ＩＤ格納メモリに格納された選択ＩＤの出力処理を実行するＲＦＩＤ出力ステップと、
を有することを特徴とする情報処理方法にある。
【００１５】
さらに、本発明の情報処理方法の一実施態様において、前記情報処理方法において、前記表示ステップは、出力ＩＤの格納先として選択可能な複数の出力ＩＤ格納先を示す出力ＩＤ格納先リストを表示し、前記ＩＤ格納ステップは、前記出力ＩＤ格納先リストに基づいて、入力部を介して入力する出力ＩＤ格納先指示情報に従って前記選択ＩＤの格納先を決定し、決定した格納先に選択ＩＤを格納する処理を実行することを特徴とする。
【００１６】
さらに、本発明の情報処理方法の一実施態様において、前記表示ステップは、前記記憶部に格納されたＲＦＩＤの情報からなるＲＦＩＤリストの表示において、各ＩＤに対応づけてユーザの設定した名前を表示することを特徴とする。
【００１７】
さらに、本発明の情報処理方法の一実施態様において、前記表示ステップは、出力ＩＤの格納先として選択可能な出力ＩＤ格納先のメモリ状況を示す情報表示を行なうことを特徴とする。
【００１８】
さらに、本発明の情報処理方法の一実施態様において、前記メモリ状況を示す情報は、メモリに書き込み済みのＩＤがあるか否かの情報を含むことを特徴とする。
【００１９】
さらに、本発明の情報処理方法の一実施態様において、前記情報処理方法は、さらに、１つの出力ＩＤ格納メモリに格納されたＲＦＩＤ出力の実行後、前記入力部からの入力情報に基づいて、継続して他の出力ＩＤ格納メモリに格納されたＲＦＩＤ出力処理を実行するステップを含むことを特徴とする。
【００２０】
さらに、本発明の第３の側面は、
ＲＦＩＤ出力処理を実行するコンピュータ・プログラムであり、
記憶部に格納されたＲＦＩＤの情報からなるＲＦＩＤリストを表示する表示ステップと、
前記ＲＦＩＤリストに基づく出力ＩＤ選択情報を入力部を介して入力する選択情報受領ステップと、
前記出力ＩＤ選択情報に基づいて選択されたＩＤを前記記憶部から抽出して、外部出力用のＲＦＩＤを格納する出力ＩＤ格納メモリに格納する処理を実行するＩＤ格納ステップと、
ＲＦＩＤ出力部において、前記ＩＤ格納メモリに格納された選択ＩＤの出力処理を実行するＲＦＩＤ出力ステップと、
を有することを特徴とするコンピュータ・プログラムにある。
【００２１】
なお、本発明のコンピュータ・プログラムは、例えば、様々なプログラム・コードを実行可能なコンピュータ・システムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２２】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２３】
本発明の構成によれば、記憶部に複数のＲＦＩＤ情報を格納し、表示部にＲＦＩＤの情報からなるＲＦＩＤリストを表示し、ＲＦＩＤリストに基づいてユーザが入力した出力ＩＤ選択情報に基づいて、出力ＩＤを決定し、決定したＩＤを記憶部から抽出して、外部出力用のＲＦＩＤを格納する出力ＩＤ格納メモリに格納して、選択ＩＤをＲＦＩＤ出力部から出力する構成としたので、ユーザが任意に選択したＩＤを自在に出力することが可能となる。
【００２４】
さらに、本発明の構成によれば、複数の出力ＩＤ格納メモリを構成し、それぞれに異なるＩＤを格納することで、連続的に異なるＲＦＩＤの出力を行なうことが可能となる。また、表示部に出力ＩＤの格納先として選択可能な出力ＩＤ格納先のリストを提示することにより、格納先の決定を可能とし、また、出力ＩＤ格納先のメモリ状況を示す情報表示を行なう構成としたので、重複するＩＤの書き込みや、誤ったＩＤの上書き処理などを防止することが可能となる。
【発明を実施するための最良の形態】
【００２５】
以下、図面を参照しながら本発明の情報処理装置、および情報処理方法、並びにコンピュータ・プログラムの詳細について説明する。
【００２６】
まず、図１および図２を参照して本発明の情報処理装置の構成について説明する。本発明の情報処理装置は、様々な商品等の固有物から識別子（ＲＦＩＤ）を取得し記憶部に格納し、記憶部に格納したＲＦＩＤ群から選択したＲＦＩＤを出力する構成を持つ。これは例えばユーザの持ち運び可能な携帯情報端末として実現可能である。なお、ＲＦＩＤ(Radio Frequency Identification)は、前述したように、タグとリーダとの間で識別情報を送受信する際に適用されるＩＤであり、タグとリーダ間の通信方法には、電磁結合方式、電磁誘導方式、電波通信方式などが挙げられる。本発明においては、利用する通信方法については特に限定しない。
【００２７】
図１に示す本発明の情報処理装置としての携帯情報端末１００は、ＣＰＵなどからなる制御部１０１、液晶表示装置などからなる表示部１０２、外部から入力した様々な商品等の識別子（ＩＤ）を格納し、また、制御部１０１によって実行されるプログラムを格納する情報記憶部１０３、外部のＲＦＩＤリーダなどの情報端末に対して情報記憶部１０３に格納したＩＤから選択したＩＤを出力するＲＦＩＤ出力部１０４、ユーザの操作情報を入力する入力部１０５、外部の情報処理装置、あるいはＲＦＩＤタグなどからＩＤ情報を入力するＩＤ入力部１０６、ネットワークを介して接続されるサーバなどとの通信を実行する通信部１０７を有する。なお、ＲＦＩＤ出力部１０４には、情報記憶部１０３に格納したＩＤから選択した出力用ＩＤを一時的に格納する出力ＩＤ格納部１０８を有する。
【００２８】
記憶部１０３に格納された様々な商品など固有物対応のＩＤは、制御部１０１の制御により、液晶表示装置などからなる表示部１０２に表示し、確認することができる。
【００２９】
図１に示す構成は、１つのＲＦＩＤ出力部１０４を有する構成であるが、複数のＲＦＩＤ出力部を有する携帯情報端末１００の構成を図２に示す。
【００３０】
図２は、複数のＲＦＩＤ出力部１０４−１〜ｎを有する構成である。本発明の情報処理装置の情報記憶部１０３には、複数の異なる固有物に対応するＩＤ情報が格納可能であり、ユーザが出力対象として設定したＩＤを複数のＲＦＩＤ出力部１０４−１〜ｎのいずれかの出力ＩＤ格納部１０８−１〜ｎに格納し、これらの格納ＩＤを選択的に出力することができる。
【００３１】
図１の単一のＲＦＩＤ出力部１０４を有する構成においても、ＲＦＩＤ出力部１０４に対応して設定された出力ＩＤ格納部１０８のＩＤ書き換え処理を実行することによって、外部出力ＩＤを選択して自在に出力することが可能であるが、図２のように、複数のＲＦＩＤ出力部１０４−１〜ｎを有する構成では、予め複数の異なるＩＤを複数のＲＦＩＤ出力部１０４−１〜ｎに対応する出力ＩＤ格納部１０８−１〜ｎに格納し、この出力部の選択を行なうのみで、外部に出力するＩＤの選択が可能となり、複数の異なるＩＤを連続して外部出力する際に書き換え処理が省略可能となる。
【００３２】
携帯情報端末１００によるＲＦＩＤの送受信構成について、図３を参照して説明する。前述したように、携帯情報端末１００は、例えば商品などの固有物の識別データとしてＲＦＩＤを入力し、また出力する構成を持つ。図３は、外部の情報処理装置２００と、携帯情報端末１００との間でＲＦＩＤ通信処理を行なう場合の処理および外部の情報処理装置２００の構成を説明する図である。
【００３３】
情報処理装置２００は、データ処理制御部としてのＣＰＵ２０１、ＲＦＩＤ入出力インタフェース２０２、ＲＦＩＤ入出力制御部２０３、復調部２０４、変調部２０５を有する。復調部２０４は、アンテナを介して携帯情報端末１００から入力したＩＤデータをデジタルデータに変換し、ＲＦＩＤ入出力インタフェース２０２を介してデータ処理制御部としてのＣＰＵ２０１に渡し、ＣＰＵ２０１の制御の下に図示しない記憶部に格納される。あるいは図示しない通信部を介してネットワークを介して外部のサーバに出力する処理などが実行される。
【００３４】
また、情報処理装置２００から携帯情報端末１００に対してＩＤを出力する場合は、情報処理装置２００のＣＰＵ２０１は、図示しない記憶部からＩＤを取り出して、変調部２０５において、変調処理を実行し変調データをアンテナを介して出力する。アンテナを介して出力された変調データが携帯情報端末１００のＩＤ入力部１０６（図１、図２参照）に入力され、携帯情報端末１００のＩＤ入力部１０６においてデジタルデータに変換された後、情報記憶部１０３に記憶される。
【００３５】
携帯情報端末１００は、ＩＤ入力部１０６を介してＲＦＩＤを入力し、入力した識別子（ＩＤ）を情報記憶部１０３（図１，図２参照）に格納する。なお、ＲＦＩＤには、製品の詳細情報、製品問い合わせ先のＵＲＬ情報、製品番号などの情報が含まれている。
【００３６】
次に、外部のＲＦＩＤリーダなどの情報処理装置に対して、携帯情報端末１００から特定の商品ＩＤを出力する場合の処理について説明する。このＩＤ出力処理に際しては、携帯情報端末１００の情報記憶部１０３に格納された複数の商品ＩＤから出力対象となるＩＤを選択して、ＲＦＩＤ出力部１０４の出力ＩＤ格納メモリ１０８に記憶させることがまず必要となる。まず、図１の構成のように、１つのＲＦＩＤ出力部を有する構成における処理シーケンスについて図４のフローチャートおよび図５を参照して説明する。
【００３７】
図５は、携帯情報端末１００の情報記憶部１０３に格納された複数の商品ＩＤから出力対象となるＩＤを選択して、ＲＦＩＤ出力部１０４の出力ＩＤ格納メモリ１０８に記憶させる処理を実行する際に携帯情報端末１００の表示部１０２に表示される画面例を示している。
【００３８】
まず、図５に示すメニュー画面３０１が表示部１０２に表示された状態において、ＲＦＩＤ書き込み処理を選択すると、図４のフローチャートの処理が開始される。なお、この処理は、携帯情報端末１００の制御部１０１の制御によって実行される処理である。
【００３９】
ステップＳ１０１において、情報記憶部１０３に格納されたＩＤ情報を表示部１０２に表示する。例えば図５に示す表示画面３０２のようなＩＤリストが表示される。表示画面３０２に示すように、表示部１０２には、情報記憶部１０３に格納されたＩＤのリストが表示される。この例ではＩＤ［１９９８］、［２００２］、［２００６］、［２０１０］・・・が記憶部に格納されていることを示している。なお、これらのＩＤ［１９９８］、［２００２］、［２００６］、［２０１０］・・・は、ＲＦＩＤ自体の値であってもよいが、ＲＦＩＤに対応して設定したシーケンスＮｏ．あるいは識別名としてもよい。シーケンスＮｏ．あるいは識別名は、ＩＤを情報記憶部１０３に格納する際、自動的に付与するか、あるいはユーザが各ＩＤに対応する名前を設定する構成としてもよい。
【００４０】
ユーザによる名前設定例について図６を参照して説明する。図６は、携帯情報端末１００に入力され記憶部に格納されたＩＤリストを示す図である。ＩＤリストには、外部から入力したＩＤと、シーケンスＮｏ．、さらに、ユーザによって設定された名前が対応付けて記録可能な構成を持つ。
【００４１】
シーケンスＮｏ．は、入力ＩＤ順に従って自動的に設定されるデータであり、名前は、ユーザが独自に設定した名前である。ユーザは、情報記憶部１０３に格納されたＩＤリストを表示部１０２に表示し、自由な名前を入力部１０５を介して入力して登録することができる。例えば、図に示すように、シーケンスＮｏ．１のＩＤに対しては「ａ社ディスプレイ」、シーケンスＮｏ．２のＩＤに対しては「ａｂｃ文庫本」など、ユーザが商品を識別することが可能な名前を設定してＩＤに対応付けて格納することができる。
【００４２】
図４に戻り、外部出力ＩＤの選択処理シーケンスについての説明を続ける。ステップＳ１０２において、ユーザは表示されたリスト（図５表示画面３０２）から出力対象のＩＤを選択し、ステップＳ１０３において、入力部１０５（図１参照）を介して書き込みＩＤ選択指示情報を入力（図５表示画面３０３参照）する。制御部１０１は、入力部１０５を介して入力された選択指示情報に従って、情報記憶部１０３に格納されたＩＤを抽出し、抽出したＩＤデータをＩＤ出力部１０４の出力ＩＤ格納メモリ１０８に書き込み、格納する。この書き込み期間に表示される画面が、図５に示す表示画面３０４である。
【００４３】
なお、ステップＳ１０４において書き込み失敗と判定された場合は、リトライを繰り返し、書き込みの成功が確認されると、ステップＳ１０５において、ＩＤ書き込み完了通知を行なって、ステップＳ１０６で出力ＩＤ書き込み処理を終了する。ステップＳ１０５において実行するＩＤの書き込み完了通知処理は、たとえば、図５の表示画面３０５に示すように、表示部１０２（図１参照）に書き込み完了メッセージを表示するなどの処理によって行なわれる。あるいは携帯情報端末１００にＬＥＤランプを装着し、ＬＥＤランプの発光、消灯などによって通知する構成としてもよい。
【００４４】
このように、情報記憶部１０３に格納された複数のＩＤから１つのＩＤが出力対象として選択されてＲＦＩＤ出力部１０４の出力ＩＤ格納メモリ１０８に格納される。すなわち、本発明の情報処理装置においては、外部出力するＲＦＩＤを選択する選択手段を有する。選択手段は、具体的には、情報記憶部１０３に格納されたＩＤのリストを表示する表示部１０２と、ユーザからの選択情報を入力する入力部１０５、選択情報に基づいて情報記憶部１０３からＩＤを読み取り、出力ＩＤ格納メモリ１０８に書き込む処理を実行する制御部１０１によって構成される。
【００４５】
次に、出力ＩＤ格納メモリ１０８に格納されたＩＤを外部のリーダなどの情報処理装置に対して出力する処理について図７のフローを参照して説明する。
【００４６】
図７の処理は、図４のフローを参照して説明した処理、すなわち、ユーザによって選択されたＩＤデータがＩＤ出力部１０４の出力ＩＤ格納メモリ１０８に格納された後に実行される処理である。ステップＳ１５１において、ユーザによるＩＤの出力指示の待機状態に設定され、ステップＳ１５２において、制御部１０１がユーザによるＩＤの出力指示が入力部１０５を介して入力されたと判断すると、ステップＳ１５３において、出力ＩＤ格納メモリ１０８に格納された選択ＩＤがＩＤ出力部１０４から出力される。
【００４７】
図４、図７のフローを参照して説明した処理の制御を実行するのは、図１に示す制御部１０１である。制御部１０１は、入力部１０５を介して入力されたユーザのＩＤ選択情報に従って情報記憶部１０３に格納されたＩＤの中から特定のＩＤを選択抽出し、抽出ＩＤをＲＦＩＤ出力部１０４のＩＤ格納メモリへ書き込む処理制御を実行する。また、制御部１０１は、入力部１０５からの出力指示に応じた出力制御を実行する。
【００４８】
次に、図８、図９を参照して、図２に示す複数のＲＦＩＤ出力部を有する構成におけるＩＤのメモリ書き込み処理シーケンスについて説明する。図８は、図２に示す複数のＲＦＩＤ出力部を有する構成におけるＩＤのメモリ書き込み処理シーケンスを説明するフローチャートであり、図９は、携帯情報端末１００の情報記憶部１０３に格納された複数の商品ＩＤから出力対象となるＩＤを選択して、ＲＦＩＤ出力部１０４−１〜ｎの出力ＩＤ格納メモリ１０８−１〜ｎに記憶させる処理を実行する際に携帯情報端末１００の表示部１０２に表示される画面例を示している。
【００４９】
まず、図９に示すメニュー画面３２１が表示部１０２（図２参照）に表示された状態において、ＲＦＩＤ書き込み処理を選択すると、図８のフローチャートの処理が開始される。なお、この処理は、携帯情報端末１００の制御部１０１の制御によって実行される処理である。
【００５０】
ステップＳ２０１において、情報記憶部１０３に格納されたＩＤ情報を表示部１０２に表示する。例えば図９に示す表示画面３２２のようなＩＤリストが表示される。表示画面３２２に示すように、表示部１０２には、情報記憶部１０３に格納されたＩＤのリストが表示される。この例ではＩＤ［１９９８］、［２００２］、［２００６］、［２０１０］・・・が記憶部に格納されていることを示している。なお、前述したように、表示リストは、ＲＦＩＤ自体の値であってもよいが、ＲＦＩＤに対応して設定したシーケンスＮｏ．あるいは識別名としてもよい。
【００５１】
ステップＳ２０２において、ユーザは表示されたリスト（図９表示画面３２２）から出力対象のＩＤを選択する。次に、ステップＳ２０３において書き込み先を選択する。これしは、図２に示す複数のＲＦＩＤ出力部１０４−１〜ｎ各々に対応する出力ＩＤ格納メモリ１０８−１〜ｎのいずれに選択ＩＤを格納するかを選択する処理である。
【００５２】
この処理においては、例えば図９に示す表示画面３２３のような書き込み先リストが表示される。この例では、
ＲＦＩＤ出力部１０４−１＝ＲＦＩＤ１
ＲＦＩＤ出力部１０４−２＝ＲＦＩＤ２
ＲＦＩＤ出力部１０４−３＝ＲＦＩＤ３
ＲＦＩＤ出力部１０４−４＝ＲＦＩＤ４
・・・
のように複数のＲＦＩＤ出力部がＩＤ格納先の識別データとしてリスト表示される例を示している。ユーザは、表示されたリスト（図９表示画面３２３）からＩＤ書き込み先を選択する。図９の表示画面３２３は、ＲＦＩＤ１を書き込み先として選択した状態を示している。
【００５３】
次に、ステップＳ２０４において、入力部１０５（図２参照）を介して書き込みＩＤ選択指示情報を入力（図９表示画面３２４参照）する。制御部１０１は、入力部１０５を介して入力された書き込みＩＤ選択指示情報および書き込み先指示情報に従って、情報記憶部１０３に格納されたＩＤを抽出し、抽出したＩＤデータを指示されたＩＤ出力部１０４−ｘの出力ＩＤ格納メモリ１０８−ｘに書き込み、格納する。この書き込み期間に表示される画面が、図９に示す表示画面３２５である。
【００５４】
なお、ステップＳ２０５において書き込み失敗と判定された場合は、リトライを繰り返す。書き込みの成功が確認されると、ステップＳ２０６において、ＩＤ書き込み完了通知を行なう。ＩＤの書き込み完了通知処理は、たとえば、図９の表示画面３２６に示すように、表示部１０２（図２参照）に書き込み完了メッセージを表示するなどの処理によって行なわれる。あるいは携帯情報端末１００にＬＥＤランプを装着し、ＬＥＤランプの発光、消灯などによって通知する構成としてもよい。
【００５５】
ＩＤ書き込みが完了すると、表示部１０２には図９に示す表示画面３２７が提示される。これは、ＩＤ書き込み先を変更して異なるＩＤの書き込みを続けて実行するか否かを問い合わせる画面である。この画面において、ユーザが書き込み続行を決定した場合は、図８のフローにおいて、ステップＳ２０７の判定がＹｅｓの判定となり、ステップＳ２０１以下の処理を繰り返し実行する。
【００５６】
この繰り返し処理により、図２に示す複数のＲＦＩＤ出力部１０４−１〜ｎ各々に対応する出力ＩＤ格納メモリ１０８−１〜ｎにそれぞれユーザの選択したＩＤが順次格納されることになる。
【００５７】
図９に示す表示画面３２７において、ユーザによるＩＤ書き込み続行の否定入力がなされると、図８のフローにおいて、ステップＳ２０７の判定がＮｏの判定となり、ステップＳ２０８で出力ＩＤ書き込み処理を終了する。
【００５８】
次に、図１０を参照して、ＲＦＩＤ出力部１０４−１〜ｎ各々に対応する出力ＩＤ格納メモリ１０８−１〜ｎにそれぞれユーザの選択したＩＤが格納された後、出力するＩＤを順次選択して外部のリーダなどの情報処理装置に対して出力する処理について説明する。
【００５９】
ステップＳ２５１において、ユーザによる出力ＩＤの選択指示の待機状態に設定され、ステップＳ２５２において、制御部１０１がユーザによるＩＤの選択指示が入力部１０５を介して入力されたと判断すると、ステップＳ２５３に進む。出力ＩＤの選択指示とは、ＲＦＩＤ出力部１０４−１〜ｎ各々に対応する出力ＩＤ格納メモリ１０８−１〜ｎに格納されたＩＤのどのＩＤを出力するかを選択する指示情報であり、この際には、図９表示画面３２３と同様のＲＦＩＤ選択画面が提示され、ユーザはこの画面から出力ＩＤを格納したＲＦＩＤすなわち、図２に示すＲＦＩＤ出力部１０４−１〜ｎのいずれかを選択することになる。
【００６０】
次に、ステップＳ２５３において、ユーザによるＩＤの出力指示の待機状態に設定され、ステップＳ２５４において、制御部１０１がユーザによるＩＤの出力指示が入力部１０５を介して入力されたと判断すると、ステップＳ２５５において、選択された出力ＩＤ格納メモリ１０８−ｚに格納された選択ＩＤがＩＤ出力部１０４−ｚから出力される。
【００６１】
さらに、ステップＳ２５６において続けてＩＤ出力を実行するか否かを判定させる。ユーザが入力部を介してＩＤ出力の継続を求める操作を実行すると、ステップＳ２５１に戻り、ステップＳ２５１以下の処理を繰り返し実行する。この処理により、ＩＤ出力部１０４−１〜ｎがユーザの意思によって順次、選択され、異なるＩＤを続けて出力することが可能となる。この構成においては、複数のＩＤ出力部１０４−１〜ｎの出力ＩＤ格納メモリ１０８−１〜ｎに複数のＩＤを予め書き込んでおくことが可能であるので、ＩＤ出力の際にＩＤの書き込み処理を省略して、連続して異なるＩＤ出力を実行することが可能となる。
【００６２】
先に、図８、図９を参照して複数のＩＤ出力部１０４−１〜ｎの出力ＩＤ格納メモリ１０８−１〜ｎに、順次ＩＤを書き込む処理シーケンスについて説明したが、さらに、図１１、図１２を参照して、同じ処理を実行する場合に、各ＩＤ出力部１０４−１〜ｎのメモリ状況をユーザに提示する処理例について説明する。
【００６３】
図１２のメニュー画面３４１において、ＲＦＩＤ書き込みを選択すると、図１１のステップＳ３０１において、情報記憶部１０３に格納されたＩＤ情報が表示部１０２に表示される。この表示画面が、図１２の表示画面３４２である。
【００６４】
図１２の表示画面３４２には、
ＲＦＩＤ出力部１０４−１＝ＲＦＩＤ１
ＲＦＩＤ出力部１０４−２＝ＲＦＩＤ２
ＲＦＩＤ出力部１０４−３＝ＲＦＩＤ３
ＲＦＩＤ出力部１０４−４＝ＲＦＩＤ４
・・
の各々のメモリ、すなわち、出力ＩＤ格納メモリ１０８−１〜ｎのメモリ状況が表示される。メモリ状況は、
使用状況：メモリに既にＩＤが書き込まれた状態にあるか否か
情報名：メモリに書き込まれたＩＤが何のＩＤであるかの情報
書き込み日時：メモリにＩＤが書き込まれた日時情報
を含む情報である。
【００６５】
ユーザは、これらのメモリ情報を確認して、書き込み先を決定する。なお、メモリ情報としては、さらに、固定ＩＤが書き込まれ、ユーザによる書き換えを許容しないメモリであるとのメモリ情報や、任意に書き込み可能なメモリであるなどのメモリ情報など、様々な情報を含む構成としてもよい。
【００６６】
ステップＳ３０２において、表示画面３４２のメモリ情報に基づいてＩＤ書き込み先を決定すると、次に、ステップＳ３０３において、選択したメモリに対して書き込むＩＤを選択する。この処理ステップでは、図１２に示す表示画面３４３のようなＩＤリストが表示される。表示画面３４３では、ＲＦＩＤを取得した固有物の名前をリストとして設定したものである。
【００６７】
先に図６を参照して説明したように情報記憶部１０３に格納されるＩＤにはユーザが任意の名前を設定することが可能であり、この名前をＩＤリストとして表示部１０２に表示した例である。この構成では、ユーザは名前に基づいてＩＤを選択することが可能となる。
【００６８】
図１２に示す表示画面３４３に表示されたリストから１つの名前を選択して決定ボタンを操作する処理が図１１のステップＳ３０４の書き込み指示の入力処理に相当する。
【００６９】
制御部１０１は、入力部１０５を介して入力された書き込みＩＤ選択指示情報および書き込み先指示情報に従って、情報記憶部１０３に格納されたＩＤを抽出し、抽出したＩＤデータを指示されたＩＤ出力部１０４−ｘの出力ＩＤ格納メモリ１０８−ｘに書き込み、格納する。この書き込み期間に表示される画面が、図１２に示す表示画面３４４である。
【００７０】
なお、ステップＳ３０５において書き込み失敗と判定された場合は、リトライを繰り返す。書き込みの成功が確認されると、ステップＳ３０６において、ＩＤ書き込み完了通知を行なう。ＩＤの書き込み完了通知処理は、たとえば、図１２の表示画面３４５に示すように、表示部１０２（図２参照）に書き込み完了メッセージを表示するなどの処理によって行なわれる。
【００７１】
ＩＤ書き込みが完了すると、表示部１０２には図１２に示す表示画面３４６が提示される。これは、ＩＤ書き込み先を変更して異なるＩＤの書き込みを続けて実行するか否かを問い合わせる画面である。この画面において、ユーザが書き込み続行を決定した場合は、図１１のフローにおいて、ステップＳ３０７の判定がＹｅｓの判定となり、ステップＳ３０１以下の処理を繰り返し実行する。
【００７２】
この繰り返し処理により、図２に示す複数のＲＦＩＤ出力部１０４−１〜ｎ各々に対応する出力ＩＤ格納メモリ１０８−１〜ｎにそれぞれユーザの選択したＩＤが順次格納されることになる。
【００７３】
図１２に示す表示画面３４６において、ユーザによるＩＤ書き込み続行の否定入力がなされると、図１１のフローにおいて、ステップＳ３０７の判定がＮｏの判定となり、ステップＳ３０８で出力ＩＤ書き込み処理を終了する。
【００７４】
上述の処理によって図２に示す複数のＲＦＩＤ出力部１０４−１〜ｎ各々に対応する出力ＩＤ格納メモリ１０８−１〜ｎにそれぞれユーザの選択したＩＤが順次格納されると、その後、書き込みＩＤがＲＦＩＤ出力部１０４−１〜ｎから順次出力される。この処理は、先に図１０を参照して説明した処理と同様であるので説明を省略する。
【００７５】
本例においては、ユーザがＲＦＩＤ出力部１０４−１〜ｎ各々に対応する出力ＩＤ格納メモリ１０８−１〜ｎの詳細なメモリ情報を知ることができ、同じＩＤを重複して書き込んだり、他のＩＤが書き込まれたメモリに誤った他のＩＤを上書きしてしまうといった書き込みミスを防止することが可能となる。
【００７６】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【００７７】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００７８】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００７９】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００８０】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８１】
以上、説明したように、本発明の構成によれば、記憶部に複数のＲＦＩＤ情報を格納し、表示部にＲＦＩＤの情報からなるＲＦＩＤリストを表示し、ＲＦＩＤリストに基づいてユーザが入力した出力ＩＤ選択情報に基づいて、出力ＩＤを決定し、決定したＩＤを記憶部から抽出して、外部出力用のＲＦＩＤを格納する出力ＩＤ格納メモリに格納して、選択ＩＤをＲＦＩＤ出力部から出力する構成としたので、ユーザが任意に選択したＩＤを自在に出力することが可能となる。
【００８２】
さらに、本発明の構成によれば、複数の出力ＩＤ格納メモリを構成し、それぞれに異なるＩＤを格納することで、連続的に異なるＲＦＩＤの出力を行なうことが可能となる。また、表示部に出力ＩＤの格納先として選択可能な出力ＩＤ格納先のリストを提示することにより、格納先の決定を可能とし、また、出力ＩＤ格納先のメモリ状況を示す情報表示を行なう構成としたので、重複するＩＤの書き込みや、誤ったＩＤの上書き処理などを防止することが可能となる。
【図面の簡単な説明】
【００８３】
【図１】本発明の情報処理装置の構成例１について説明する図である。
【図２】本発明の情報処理装置の構成例２について説明する図である。
【図３】本発明の情報処理装置としての携帯情報端末と外部の情報処理装置間で実行するＲＦＩＤ情報の送受信処理および外部の情報処理装置の構成について説明する図である。
【図４】本発明の情報処理装置におけるＩＤ情報の送信処理の事前処理として実行するＩＤ選択、メモリ書き込み処理シーケンスについて説明するフロー図である。
【図５】本発明の情報処理装置におけるＩＤ情報の送信処理の事前処理として実行するＩＤ選択、メモリ書き込み処理において表示部に表示される表示画面例ついて説明する図である。
【図６】本発明の情報処理装置におけるＩＤ情報の読み取り格納処理に際して記憶部に格納するＩＤリストの例を示す図である。
【図７】本発明の情報処理装置におけるＩＤ情報の送信処理シーケンスについて説明するフロー図である。
【図８】複数の出力ＩＤ格納メモリを持つ本発明の情報処理装置において、ＩＤ情報の送信処理の事前処理として実行するＩＤ選択、メモリ書き込み処理シーケンスについて説明するフロー図である。
【図９】複数の出力ＩＤ格納メモリを持つ本発明の情報処理装置におけるＩＤ情報の送信処理の事前処理として実行するＩＤ選択、メモリ書き込み処理において表示部に表示される表示画面例ついて説明する図である。
【図１０】複数の出力ＩＤ格納メモリを持つ本発明の情報処理装置におけるＩＤ情報の送信処理シーケンスについて説明するフロー図である。
【図１１】複数の出力ＩＤ格納メモリを持つ本発明の情報処理装置において、ＩＤ情報の送信処理の事前処理として実行するＩＤ選択、メモリ書き込み処理シーケンスについて説明するフロー図である。
【図１２】複数の出力ＩＤ格納メモリを持つ本発明の情報処理装置におけるＩＤ情報の送信処理の事前処理として実行するＩＤ選択、メモリ書き込み処理において表示部に表示される表示画面例ついて説明する図である。
【符号の説明】
【００８４】
１００  携帯情報端末（情報処理装置）
１０１  制御部
１０２  表示部
１０３  情報記憶部
１０４  ＩＤ出力部
１０５  入力部
１０６  ＩＤ入力部
１０７  通信部
１０８  出力ＩＤメモリ
２００  情報処理装置
２０１  ＣＰＵ
２０２  インタフェース
２０３  通信制御部
２０４  復調部
２０５  変調部
３０１〜３０５  表示画面
３２１〜３２７  表示画面
３４１〜３４６  表示画面
【図１】
2005322133.tif 000003
【図２】
2005322133.tif 000004
【図３】
2005322133.tif 000005
【図４】
2005322133.tif 000006
【図５】
2005322133.tif 000007
【図６】
2005322133.tif 000008
【図７】
2005322133.tif 000009
【図８】
2005322133.tif 000010
【図９】
2005322133.tif 000011
【図１０】
2005322133.tif 000012
【図１１】
2005322133.tif 000013
【図１２】
2005322133.tif 000014